(57)【要約】【課題】流量調整部のレシーバの内部が異常高圧になった場合でも、レシーバの破損を回避できる冷凍システム装置を提供する。【解決手段】冷媒回路に並列に接続される低圧側の流量調整装置、レシーバ、高圧側流量調整装置からなる流量調整部を備えた冷凍システム装置において、高圧側及び低圧側の流量調整装置の少なくともどちらか一方では、レシーバに接続される第１の連結管の他端部が弁箱の一側底部に接続され、絞り装置側に接続される第２の連結管の他端部が弁箱の他側で横管状に接続され、弁箱に離着座可能に内装された弁体は、レシーバから冷媒が流れる方向が開弁方向とされる。【選択図】  図３
2014119162.tif 000002
【特許請求の範囲】
【請求項１】
圧縮機、凝縮器、絞り装置および蒸発器が配管により順次接続されて冷媒が流れる冷媒回路が構成され、前記冷媒回路を流れる冷媒の流量を調整する流量調整部が前記絞り装置と並列に設けられ、前記流量調整部は、前記絞り装置前後の高圧側から低圧側に流れる冷媒の圧力を利用して冷媒を溜めるレシーバと、前記冷媒回路における絞り装置の高圧側と前記レシーバとを接続する高圧側の連結管と、前記冷媒回路における絞り装置の低圧側と前記レシーバとを接続する低圧側の連結管と、夫々の連結管に介在され冷媒の流量を調整する高圧側及び低圧側の流量調整装置とを備えた冷凍サイクルにおいて、
前記高圧側及び低圧側の流量調整装置の少なくともどちらか一方は、レシーバから冷媒の流れる方向が開弁方向であることを特徴とする冷凍システム装置。
【請求項２】
前記高圧側及び低圧側の流量調整装置の少なくともどちらか一方は、前記レシーバに接続される第１の連結管の他端部が弁箱の一側に接続され、絞り装置側に接続される第２の連結管の他端部が弁箱の他側に接続され、弁箱に離着座可能に内装された弁体は、レシーバから冷媒が流れる方向が開弁方向とされた請求項１に記載の冷凍システム装置。
【請求項３】
レシーバに接続される第１の連結管は弁箱の一側底部に接続され、絞り装置側に接続される第２の連結管は弁箱の上部に接続された請求項２に記載の冷凍システム装置。
【請求項４】
前記絞り装置側に接続される第２の連結管は、弁箱の上部に横方向から接続された請求項３に記載の冷凍システム装置。
【請求項５】
圧縮機、凝縮器、絞り装置および蒸発器が配管により順次接続されて冷媒が流れる冷媒回路が構成され、前記絞り装置は、前記冷媒回路を流れる冷媒の流量を調整する第１の流量調整装置と第２の流量調整装置とからなり、前記第１の流量調整装置と第２の流量調整装置との間に、冷媒回路を流れる冷媒の圧力を利用して冷媒を溜めるレシーバが設けられ、前記第１の流量調整装置及び第２の流量調整装置の少なくともどちらか一方は、レシーバから冷媒の流れる方向が開弁方向であることを特徴とする冷凍システム装置。
【発明の詳細な説明】
【技術分野】
【０００１】
本発明は、冷媒回路を循環する冷媒の量を調整する流量調整部を備えた冷凍システム装置に関するものである。
【背景技術】
【０００２】
空気調和機等の冷凍システム装置においては、冷房運転と暖房運転とで冷媒回路を流れる最適な冷媒量が異なってくる。特許文献１では、冷媒を最適な冷媒量で循環させるために、冷媒を溜めるレシーバとその両側に流量調整装置とを設け、レシーバに冷媒を溜めたり、レシーバから冷媒回路に冷媒を戻したりして最適な冷媒量で冷媒を循環させるようにしている。
【０００３】
特許文献２では、圧縮機と、圧縮機からの冷媒を冷却媒体と熱交換関係をなして高圧で通過させる凝縮器と、冷却される媒体と熱交換関係をなして低圧で冷媒を通過させる蒸発器と、凝縮器の下流でかつ蒸発器の上流で閉ループ冷媒回路に配設された膨張装置と、少なくとも１つの冷媒ラインによって閉ループ冷媒回路と流体連通して接続される冷媒を貯蔵するレシーバと、少なくとも１つの冷媒ラインに配された冷媒流制御装置とを備えた冷凍システム装置が開示されている。
【０００４】
特許文献３には、圧縮機、凝縮器、膨張弁、蒸発器を順次冷媒管で接続して冷凍空調サイクルを構成し、圧縮機の吐出口から膨張弁に至る高圧側の冷媒管路と膨張弁から圧縮機の吸込口に至る低圧側の冷媒管路とを開閉弁を介して連通する側路管および、膨張弁と並列に制御開閉弁付きの冷媒調整タンク及びこれらの弁の開度を調整する制御器を設けた冷凍空調装置が開示されている。
【先行技術文献】
【特許文献】
【０００５】
【特許文献１】特許第3334507号公報
【特許文献２】特表2011-521194号公報
【特許文献１】特許第44115017号公報
【発明の概要】
【発明が解決しようとする課題】
【０００６】
ところで、特許文献１〜３では、レシーバに冷媒が溜められた状態で、レシーバに接続された流量調整装置が何らかの不具合により、予期しない閉状態が維持された場合、周囲の状況によってはレシーバが異常高圧となり、最悪の場合、レシーバが破損してしまうおそれがある。
【０００７】
本発明は、上記に鑑み、レシーバが異常高圧になった場合でも冷媒を逃がしてレシーバの破損を防止することができる冷凍システム装置の提供を目的している。
【課題を解決するための手段】
【０００８】
上記目的を達成するため、本発明に係る冷凍システム装置は、圧縮機、凝縮器、絞り装置および蒸発器が配管により順次接続されて冷媒が流れる冷媒回路が構成され、前記冷媒回路を流れる冷媒の流量を調整する流量調整部が前記絞り装置と並列に設けられ、前記流量調整部は、前記絞り装置前後の高圧側から低圧側に流れる冷媒の圧力を利用して冷媒を溜めるレシーバと、前記冷媒回路における絞り装置の高圧側と前記レシーバとを接続する高圧側の連結管と、前記冷媒回路における絞り装置の低圧側と前記レシーバとを接続する低圧側の連結管と、夫々の連結管に介在され冷媒の流量を調整する高圧側及び低圧側の流量調整装置とを備えた冷凍サイクルにおいて、前記高圧側及び低圧側の流量調整装置の少なくともどちらか一方は、レシーバから冷媒の流れる方向が開弁方向であることを特徴とする。
【０００９】
また、本発明では、前記高圧側及び低圧側の流量調整装置の少なくともどちらか一方は、前記レシーバに接続される第１の連結管の他端部が弁箱の一側に接続され、絞り装置側に接続される第２の連結管の他端部が弁箱の他側に接続され、弁箱に離着座可能に内装された弁体は、レシーバから冷媒が流れる方向が開弁方向とされた構成を採用してもよい。
【００１０】
さらに、連結管の弁箱への接続部については、レシーバに接続される第１の連結管は弁箱の一側底部に接続され、絞り装置側に接続される第２の連結管は弁箱の上部に接続された構成を採用してもよい。
【発明の効果】
【００１１】
本発明によると、高圧側及び低圧側の流量調整装置の少なくともどちらか一方は、レシーバから冷媒の流れる方向が開弁方向であるので、レシーバ内が異常高圧になった場合でも、レシーバの破損を回避することができ、安全性に優れた冷凍システム装置を提供することができる。
【図面の簡単な説明】
【００１２】
【図１】本発明の実施形態である冷房運転時の冷媒の流れを示す冷凍サイクル図である。
【図２】同じく暖房運転時の冷媒の流れを示す冷凍サイクル図である。
【図３】配管の接続状態を示す流量調整部の模式図である。
【図４】流量調整装置の正面図である。
【図５】流量調整装置の斜視図である。
【図６】（ａ）閉弁状態の流量調整装置の断面図、（ｂ）は開弁状態の流量調整装置の断面図である。
【図７】別の配管例を示す流量調整部の模式図である。
【図８】本発明の別の実施形態である冷房運転時の冷媒の流れを示す冷凍サイクル図である。
【発明を実施するための形態】
【００１３】
以下、本発明を空気調和機の冷凍システム装置に適用した実施形態を図面に基づいて説明する。図１は冷房運転時の冷媒の流れを示す冷凍サイクル図、図２は暖房運転時の冷媒の流れを示す冷凍サイクル図である。図に示すように、本実施形態の空気調和機は、１つの室内機１と１つの室外機２とを冷媒配管３により接続したもので、室外機２側には、圧縮機４、冷媒の流路を切り替える四方弁５、室外熱交換器６及び絞り装置７を備え、室内機１には、室内熱交換器８を備えている。
【００１４】
この冷凍サイクルにおいて、冷房運転時には、図１に示すように、圧縮機４から吐出された冷媒は、四方弁５から室外熱交換器６、絞り装置７、室内熱交換器８を通って圧縮機４に戻る順方向の流れとなる。また、暖房運転時には、図２に示すように、圧縮機４から吐出された冷媒は、四方弁５から室内熱交換器８、絞り装置７、室外熱交換器６を通って圧縮機４に戻る逆方向の流れとなる。
【００１５】
したがって、冷凍サイクルにおいて、冷房運転時には室外熱交換器６が凝縮器として機能し、室内熱交換器８が蒸発器として機能する。暖房運転時には、室内熱交換器８が凝縮器として機能し、室外熱交換器６が蒸発器として機能する。
【００１６】
このように、冷房運転時及び暖房運転時の冷凍サイクルは、可逆サイクルの冷媒回路であり、冷媒の流れ方向は、圧縮機４、四方弁５、凝縮器、絞り装置７、蒸発器の順を追って流れ、冷媒回路１０が構成される。
【００１７】
なお、本例では、図１及び図２に示すように、室外熱交換器６と並列に冷媒回路１０の冷媒の一部を圧縮機側に戻す開閉弁１１付きのバイパス路１２が接続されているが、これら開閉弁付きバイパス路がない冷媒回路であってもよい。
【００１８】
そして、冷媒回路１０を流れる冷媒の流量を調整する流量調整部１３が絞り装置７と並列に接続されている。この流量調整部１３は、絞り装置７の前後の高圧側から低圧側に流れる冷媒の圧力を利用して冷媒を溜めるレシーバ１４と、冷媒回路１０における絞り装置７の高圧側分岐部とレシーバ１４とを接続する高圧側の連結管２１，２３と、前記冷媒回路１０における絞り装置７の低圧側の分岐部とレシーバ１４とを接続する低圧側の連結管２２，２４と、夫々の連結管２１〜２４に介在され冷媒の流量を調整する高圧側及び低圧側の流量調整装置１５，１６とを備えている。
【００１９】
連結管２１は、レシーバ１４と第１の流量調整装置１５とを接続する。連結管２２は、レシーバ１４と第２の流量調整装置１６とを接続する。連結管２３は、第１の流量調整装置１５と冷媒回路１０の絞り装置７の室外熱交換器側の分岐部とを接続する。連結管２４は、第２の流量調整装置１６と冷媒回路１０の絞り装置７の室内熱交換器側の分岐部とを接続する。
【００２０】
流量調整部１３は、圧縮機４の吐出温度等に応じて両方の流量調整装置１５，１６の開度を制御してレシーバ１４に冷媒を溜めたり、あるいは冷媒回路１０に冷媒を戻したりして、冷媒回路１０の冷媒循環量を適正に保つようにしている。
【００２１】
レシーバ１４は、冷媒を収容可能な筒状の容器であって、その底面には、第１の流量調整装置１５からの連結管２１と、第２の流量調整装置１６からの連結管２２とが接続されている。
【００２２】
図３に示すように、冷房運転サイクル等、右から左へ向かう冷媒の流れがあるとき、第１の流量調整装置１５は高圧側の流量調整装置として機能し、第２の流量調整装置１６は低圧側の流量調整装置として機能する。暖房運転サイクル等、左から右へ向かう冷媒の流れがあるとき、第２の流量調整装置１６は高圧側の流量調整装置として機能し、第１の流量調整装置１５は低圧側の流量調整装置として機能する。これらの流量調整装置１５，１６は、膨張弁や絞り装置と同様に、冷媒が通る開口の面積を可変して、レシーバ１４に入る冷媒量を調整する機能を有していても良いし、あるいは完全に冷媒の流れを遮断もしくは導通させる電磁弁であっても良い。
【００２３】
図４は流量調整装置の正面図、図５は流量調整装置を斜め上方から俯瞰した斜視図、図６（ａ）は閉弁状態の流量調整装置の断面図、同図（ｂ）は開弁状態の流量調整装置の断面図を示す。高圧側と低圧側の流量調整装置は、いずれも配管接続構造が同じである。そこで、低圧側の流量調整装置として、第２の流量調整装置１６の配管構造を用いて説明する。
【００２４】
流量調整装置１６は、レシーバ１４に接続される第１の連結管２２の他端部が弁箱１６ａの一側に接続され、絞り装置７側に接続される第２の連結管２４の他端部が弁箱１６ａの他側に接続され、弁箱１６ａ内で弁孔３４付き弁座３３に離着座可能に内装された弁体３１は、レシーバ１４から流れる冷媒の方向が開弁方向とされている。以下の説明では、レシーバ１４から流出する冷媒の流れが閉弁方向に向かうとき、その流れ方向を「順方向の流れ」と称する場合がある。逆に、開弁方向に向かう冷媒の流れがあるとき、これを「逆方向の流れ」と称する場合がある。
【００２５】
ここで、第１の連結管２２の接続箇所は、弁箱１６ａの一側であれば特に限定されないが、連結管２２の他端部が、弁箱１６ａの一側底部に縦管状に連通接続された態様が例示できる。一方、絞り装置７側に接続される第２の連結管２４は、弁箱１６ａの上部に接続される。この第２の連結管２４の接続箇所も弁箱１６ａの上部であって、弁室３６に連通する態様であれば、特に限定されないが、本例では、第２の連結管２４は、弁箱１６ａの上部の弁室３６に横方向から横管状に接続される。
【００２６】
弁箱１６ａ内の弁体３１は、弁箱１６ａで往復移動する移動体３０の一側に突設されたニードル弁であって、弁孔３４付きの弁座３３に離着座可能に移動する。この弁体３１および弁孔３４により、冷凍負荷に対応して開度を可変とし、かつ全閉可能な絞り部が形成される。移動体３０は、図示しない駆動部からの駆動力（例えば、電磁力）により弁箱１６ａ内を移動する。
【００２７】
上記の配管接続構造は第１の流量調整装置１５においても同様である。具体的にはレシーバ１４からの連結管２１が第１の流量調整装置１５の弁箱１５ａの底部に連通接続される。また、絞り装置側の連結管２３が第１の流量調整装置１５の弁箱１５ａの上部側面に横管として接続される。
【００２８】
絞り装置７は、冷媒回路１０の凝縮、蒸発圧力を調整している。このため、その流路の前後に圧力差が生じる。この圧力差を利用して、流量調整部１３のレシーバ１４に冷媒回路１０内の冷媒の一部を凝縮させて溜め、また、レシーバ１４内の冷媒を冷媒回路に戻すようにしている。
【００２９】
上記構成において、図１に示す冷房運転サイクルでは、圧縮機４から吐出された高温高圧の冷媒は、凝縮器として機能する室外熱交換器６で熱交換された後、絞り装置７を通って減圧され、ガス冷媒となって蒸発器として機能する室内熱交換器８に入り、ここで熱交換されて圧縮機４に戻る。
【００３０】
また、図２に示す暖房運転サイクルでは、圧縮機４から吐出された高温高圧の冷媒は、凝縮器として機能する室内熱交換器８で熱交換された後、絞り装置７を通って減圧され、ガス冷媒となって蒸発器として機能する室外熱交換器６に入り、ここで熱交換されて圧縮機４に戻る。
【００３１】
冷房運転サイクル及び暖房運転サイクルにおいて、流量調整部１３では、高圧の液冷媒が高圧側の流量調整装置１５，１６から入り、減圧（減圧される程度は流量調整装置の開度により異なる）されて液冷媒の状態でレシーバ１４に溜められる。一方、レシーバ１４内の液冷媒は、接続口から低圧側の流量調整装置１５，１６に入り、減圧されてガスと液との混合冷媒となり、冷媒回路１０に戻される。
【００３２】
例えば、冷房運転サイクルにおいて、図３に示す流量調整部１３では、右から左へ向かう冷媒の流れがあり、第１の流量調整装置１５は高圧側の流量調整装置として、また、第２の流量調整装置１６は低圧側の流量調整装置としてそれぞれ機能する。このとき、第１の流量調整装置１５では、冷媒は連結管２３を通して弁箱１５ａ内の弁室に横方向から導入され、弁箱１５ａの底部から連結管２１によりレシーバ１４内に流入する。何らかの理由で、第１の流量調整装置１５が閉弁状態に維持された場合、レシーバ１４側への流入回路が遮断されるので、レシーバ１４に悪影響を及ぼすことはない。
【００３３】
逆に、第２の流量調整装置１６では、冷媒はレシーバ１４から連結管２２を通して第２の流量調整装置１６の弁箱１６ａの底部の縦管より弁箱内に入り、弁体３１（ニードル弁）の絞り量（開口面積）により弁室３６側に流入し、側面の横管状の連結管２４から絞り装置７の冷媒流れ方向で下流側に流れる。すなわち、冷媒は順方向に流れることになるが、何らかの理由で、第２の流量調整装置１６が閉弁状態に維持されようとしても、レシーバ１４からの高圧の冷媒は低圧側に流れようとして弁体３１を開弁する方向に押し上げる。そのため、レシーバ１４が異常高圧になった場合も、冷媒が低圧側の流量調整装置から流出するので、レシーバが異常高圧になるのを防止することができ、レシーバの破損を回避することができる。
【００３４】
逆に、暖房運転サイクルでは、図３に示す流量調整部１３は、左から右へ向かう冷媒の流れがあり、第２の流量調整装置１６が高圧側の流量調整装置として、また、第１の流量調整装置１５が低圧側の流量調整装置としてそれぞれ機能する。このとき、第２の流量調整装置１６では、冷媒が高圧側の絞り装置７から連結管２４を通して弁箱１６ａ内の弁室に横方向から導入され、弁箱１６ａの底部から連結管２２によりレシーバ１４内に流入することになる。何らかの理由で、第２の流量調整装置１６が閉弁状態に維持された場合でも、冷媒が順方向の流れになり、レシーバ１４側への流入回路が遮断されるので、レシーバ１４に悪影響を及ぼすことはない。
【００３５】
一方、レシーバ１４よりも下流側に位置する第１の流量調整装置１５では、冷媒はレシーバ１４から連結管２１を通して第１の流量調整装置１５の弁箱１５ａの底部の縦管より弁箱内に入り、弁体３１（ニードル弁）の絞り量（開口面積）により弁室３６側に流入し、側面の横管状の連結管２３から絞り装置７の冷媒流れ方向で下流側に流れる。すなわち、第１の流量調整装置１５において、冷媒は逆方向に流れることになり、何らかの理由で、第１の流量調整装置１５が閉弁状態に維持されようとしても、レシーバ１４からの高圧の冷媒は低圧側に流れようとして弁体３１を開弁する方向に押し上げる。そのため、レシーバ１４が異常高圧になった場合も、冷媒が低圧側の流量調整装置から流出するので、レシーバが異常高圧になるのを防止することができ、レシーバの破損を回避することができる。
【００３６】
ここで、流量調整装置１５，１６として、完全に冷媒の流れを遮断もしくは導通させる開閉電磁弁を使用した場合、レシーバ１４に冷媒を溜めるときは高圧側の電磁弁（流量調整装置１５または１６）を一時的に開き、レシーバ１４から冷媒を放出するときは低圧側の電磁弁（流量調整装置１５または１６）を一時的に開くことにより、システムに流れる冷媒量を調整する。
【００３７】
この場合、冷媒量の調整する時以外は電磁弁は両方とも閉状態となっており、例えばシステムが何らかの理由でダウンすると、レシーバ１４に冷媒が溜まったままの状態で保持されてしまう。周囲温度の上昇等によってはレシーバ内が異常高圧となる可能性があるが、流量調整装置１５，１６のうち少なくともどちらか一方を、レシーバ１４から冷媒の流れる方向が開弁方向であれば、レシーバ１４内の圧力により開弁しレシーバ１４内の高圧を開放することができ、レシーバ１４の破損を防ぐことができる。
【００３８】
図７は配管接続構成についての別の実施形態を示す。本例では、レシーバ１４への出入りを1本の連結管２８により行っており、その分岐連結管２８ａ，２８ｂが夫々流量調整装置１５，１６の弁箱の底部に接続されている。このような流量調整部１３の構成であっても、図３に示す実施形態と同様な作用効果を奏し、レシーバの破損を防止することができる。
【００３９】
図８は本発明の別の実施形態である、冷房運転時の冷媒の流れを示す冷凍サイクル図である。図１および図２に示す実施形態では、第１の流量調整装置１５、第２の流量調整装置およびレシーバ１４からなる流量調整部１３と絞り装置７とを並列に接続した例を示したが、本例では、絞り装置７を第１の流量調整装置１５および第２の流量調整装置１６とから構成し、両流量調整装置１５，１６の間に流量調整部１３としてのレシーバ１４が介在された配管構造とし、第１の流量調整装置１５及び第２の流量調整装置１６の少なくともどちらか一方は、レシーバ１４から冷媒の流れる方向が開弁方向であるようにしている。
【００４０】
そして、本例の流量調整装置１５，１６は、図３に示す配管構造を採用しており、連結管２３が室外熱交換器６側の冷媒回路１０に接続される。連結管２４が室内熱交換器８側の冷媒回路１０に接続されることになる。そして、各流量調整装置１５，１６は図４ないし図６に示す構成態様を採用している。
【００４１】
上記配管接続構成においては、冷房運転サイクルでは、第１の流量調整装置１５は高圧側の流量調整装置として、また、第２の流量調整装置１６は低圧側の流量調整装置としてそれぞれ機能する。また、暖房運転サイクルでは、第２の流量調整装置１６が高圧側の流量調整装置として、また、第１の流量調整装置１５が低圧側の流量調整装置としてそれぞれ機能する。
【００４２】
いずれの場合でも、流量調整装置１５，１６が閉弁状態になった場合、高圧側及び低圧側の流量調整装置１５，１６の少なくともどちらか一方では、冷媒が逆方向に流れることになり、レシーバ１４からの高圧の冷媒は低圧側に流れようとして弁体３１を開弁する方向に押し上げるため、レシーバが異常高圧になるのを防止することができ、レシーバの破損を回避することができる。
【００４３】
なお、図８に示す実施形態では、図３に示す配管接続構成に代わり、図７に示す配管接続構成を採用してもよいことは勿論である。
【００４４】
以上の実施形態からの説明でも明らかな通り、本発明は、圧縮機、凝縮器、絞り装置および蒸発器が配管により順次接続されて冷媒が流れる冷媒回路が構成され、前記冷媒回路を流れる冷媒の流量を調整する流量調整部が前記絞り装置と並列に設けられ、前記流量調整部は、前記絞り装置前後の高圧側から低圧側に流れる冷媒の圧力を利用して冷媒を溜めるレシーバと、前記冷媒回路における絞り装置の高圧側と前記レシーバとを接続する高圧側の連結管と、前記冷媒回路における絞り装置の低圧側と前記レシーバとを接続する低圧側の連結管と、夫々の連結管に介在され冷媒の流量を調整する高圧側及び低圧側の流量調整装置とを備えた冷凍サイクルにおいて、前記高圧側及び低圧側の流量調整装置の少なくともどちらか一方は、レシーバから冷媒の流れる方向が開弁方向であることを特徴とする。
【００４５】
上記構成によると、高圧側及び低圧側の流量調整装置におけるレシーバ１４からの冷媒の流れる方向の少なくともどちらか一方が開弁方向にあるので、レシーバ１４内が異常高圧になった場合でも、冷媒の流れが開弁する方向で作用し、レシーバの破損を回避することができる。
【００４６】
この場合の連結管の接続構造は、第２の流量調整装置を低圧側の流量調整装置として場合、レシーバ１４に接続される第１の連結管２２の他端部が弁箱１６ａの一側に接続され、絞り装置７側に接続される第２の連結管２４の他端部が弁箱１６ａの他側に接続され、弁箱１６ａに離着座可能に内装された弁体３１は、レシーバ１４から冷媒が流れる方向が開弁方向とされる構成を採用してもよい。すなわち、具体的な配管構造として、レシーバ１４に接続される第1の連結管２２は弁箱１６ａの一側底部に接続され、絞り装置７側に接続される第２の連結管２４は弁箱１６ａの上部、例えば、弁箱１６ａの上部に横方向から接続される構成を採用することができる。
【００４７】
このような構成によれば、レシーバ１４が異常高圧になった場合、高圧の冷媒が弁箱１６ａの底部から縦管状の連結管２２を通って弁箱内に流入し、弁孔３４付き弁座３３に離着座する弁体３１が押し上げられ、開弁方向に作用するので、レシーバ１４の破損を防止することができる。
【００４８】
さらに、本発明は、圧縮機、凝縮器、絞り装置および蒸発器が配管により順次接続されて冷媒が流れる冷媒回路が構成され、前記絞り装置は、前記冷媒回路を流れる冷媒の流量を調整する第１の流量調整装置と第２の流量調整装置とからなり、前記第１の流量調整装置と第２の流量調整装置との間に、冷媒回路を流れる冷媒の圧力を利用して冷媒を溜めるレシーバが設けられ、前記第１の流量調整装置および第２の流量調整装置の少なくともどちらか一方は、レシーバから冷媒の流れる方向が開弁方向である冷凍システム装置に適用することができる。
【００４９】
上記構成によると、高圧側及び低圧側の流量調整装置の少なくともどちらか一方ではレシーバ１４からの冷媒の流れる方向が開弁方向になるので、レシーバ１４内が異常高圧になった場合でも、冷媒の流れが開弁する方向で作用し、レシーバの破損を回避することができる。
【００５０】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００５１】
１    室内機
２    室外機
３    冷媒配管
４    圧縮機
５    四方弁
６    室外熱交換器
７    絞り装置
８    室内熱交換器
１０    冷媒回路
１１    開閉弁
１３    流量調整部
１４    レシーバ
１５    第１の流量調整装置
１６    第２の流量調整装置
２１，２２，２３，２４  連結管
３０    移動体
３１    弁体
３３    弁座
３４    弁孔
【図１】
2014119162.tif 000003
【図２】
2014119162.tif 000004
【図３】
2014119162.tif 000005
【図４】
2014119162.tif 000006
【図５】
2014119162.tif 000007
【図６】
2014119162.tif 000008
【図７】
2014119162.tif 000009
【図８】
2014119162.tif 000010